(57)【要約】 【課題】  金属板に形成したフィン群の底面に文字や図形等を形成することにより、物理的な劣化、や化学的な劣化を未然に防止することができる表示プレートを提供する。【解決手段】  表示プレート１は、金属板２の一方面２ａに複数の肉薄な板状のフィン３ａからなるフィン群３が金属板２に対して所定角度傾斜させて起立形成している。隣接するフィン３ａの間には、所定間隔の空間４と金属板２の一方面側２ａに形成した底面５とが形成され、空間４に面するフィン３ａの面と底面５は反射面に形成されている。さらに、フィン群３の底面５は、フィン３ａの先端側開口から空間４を介して直視できるように形成している。そして、フィン群３の各フィン３ａ間の底面４には、文字や図形等を表示する凹凸からなる表示部６が形成されている。この表示部６は、所定角度傾斜させたフィン３ａの先端側開口から底面５を直視したときのみ文字や図形等を表示が目視できる。【選択図】    図１
2010156933.tif 000002
【特許請求の範囲】
【請求項１】
金属板の一方面に複数の肉薄な板状のフィンからなるフィン群を上記金属板に対して所定角度傾斜させて起立形成し、
隣接する上記フィンの間には所定間隔の空間と上記金属板の一方面側に形成した底面とを反射面に形成すると共に、上記底面が上記空間を介して上記フィンの先端側開口から直視可能に形成し、
上記フィン群の各フィン間の上記底面には、文字や図形等を表示する凹凸からなる表示部が形成され、
所定角度傾斜させた上記フィンの先端側開口から上記底面を直視したときのみ上記表示部の文字や図形等を表示させることを特徴とする表示プレート。
【請求項２】
上記フィン群は、各フィンの板厚を０．０５ｍｍから１ｍｍに設定し、各フィンの間に形成した上記空間の間隔を０．０５ｍｍから１ｍｍに設定した請求項１に記載の表示プレート。
【請求項３】
上記フィン間の上記底面に形成される上記表示部の凹凸の段差を、２ミクロン乃至２０ミクロンに設定した請求項１に記載の表示プレート。
【請求項４】
上記表示部は、上記金属板の一方面側の底面から他方面にわたる底板を透孔によって形成した請求項１に記載の表示プレート。
【請求項５】
上記フィン群には、透明なカバーを被冠し、このカバーの内面と上記フィン群のフィン先端とを接着固定した請求項１または２のいずれかに記載の表示プレート。
【発明の詳細な説明】
【技術分野】
【０００１】
本発明は、文字や図形等を表示する表示プレートに関し、詳しくは、複数の肉薄な板状のフィンの間を直視したときに文字や図形等を見ることができるように構成した表示プレートに関する。
【背景技術】
【０００２】
有名メーカー等が製造する、鞄、財布、服、などの縫製品や、皮革品、アクセサリー、或いは、カメラ、自動車、電化製品などには、製造販売する有名メーカーの標章が付されており、これにより、製品の自他商品の識別または出所表示をし、さらにそれによって品質保証をし、さらに宣伝広告を行っている。一方、このような有名メーカーの製品がブランド化して著名になるに従って、偽造業者が有名メーカーの標章を精巧に偽造し、模造製品に偽造標章を付して販売することがある。模造業者の模造あるいは偽造技術は次第に精巧になり、一般消費者は真正品と模造品との見分けが付けられず、有名メーカーは甚大な被害を受けている。
【０００３】
この対策として、小さな図柄や多くの色を使用するなど、容易に複製できない精巧な印刷技術を用いて複製を困難にすること、例えばホログラム印刷や、偽物検出剤を含むインクを用いた特殊印刷を施して偽物を判別すること（特開２００２−１９１３９５号公報、特表２００５−５２６９９８号公報）、例えば、すかしを施した紙等の特殊な紙に印刷を施すことにより複製を困難にすること、或いは、屈折率の異なる多層薄膜層を設けて、偏光フィルタを用いて色変化の有無を確認して真偽を判別すること（特開２００７−３７５９号公報）、または、これらの技術を２以上組み合わせるなど、多種多様な識別方法が採用もしくは提案されている。
【０００４】
【特許文献１】特開２００２−１９１３９５号公報
【特許文献２】特表２００５−５２６９９８号公報
【特許文献３】特開２００７−３７５９号公報
【発明の開示】
【発明が解決しようとする課題】
【０００５】
前述した従来の方法は、高度な印刷技術を用いるものと、特殊な光技術を用いるものに大別される。しかしながら、紙等に特殊な印刷を施したシールを製品に貼設した場合、そのシールは、擦れたときに一部が剥がれることにより真偽の識別が困難になるなど強度的に脆弱であることが問題となる。また、シールに印刷するときに用いられる特殊なインクは、紫外線等の外光に対して劣化するものが多く、長年使用した場合には、やはり真偽の識別が困難になる問題があった。すなわち、紙等のシールに印刷を施して作成された偽造防止シールは、長年にわたり使用される骨董的価値を生む製品には不向きであった。
【０００６】
そこで、本発明の課題は、金属板に形成したフィン群の底面に文字や図形等を形成することにより、物理的な劣化、や化学的な劣化を未然に防止することができる表示プレートを提供することにある。
【課題を解決するための手段】
【０００７】
上記の課題を解決するために、請求項１の発明にかかる表示プレートは、金属板の一方面に複数の肉薄な板状のフィンからなるフィン群を上記金属板に対して所定角度傾斜させて起立形成し、隣接する上記フィンの間には所定間隔の空間と上記金属板の一方面側に形成した底面とを反射面に形成すると共に、上記底面が上記空間を介して上記フィンの先端側開口から直視可能に形成し、上記フィン群の各フィン間の上記底面には、文字や図形等を表示する凹面又は凸面からなる表示部が形成され、所定角度傾斜させた上記フィンの先端側開口から上記底面を直視したときのみ上記表示部の文字や図形等を表示させることを要旨としている。
【０００８】
また、請求項２に記載の発明は、請求項１に記載の発明において、上記フィン群は、各フィンの板厚を０．０５ｍｍから１ｍｍに設定し、各フィンの間に形成した上記空間の間隔を０．０５ｍｍから１ｍｍに設定することを要旨としている。
【０００９】
さらに、請求項３に記載の発明は、請求項１に記載の発明において、上記フィン間の上記底面に形成される上記表示部の凹面又は凸面の段差を、２ミクロン乃至２０ミクロンに設定することを要旨としている。
【００１０】
さらにまた、請求項４に記載の発明は、請求項１に記載の発明において、上記表示部は、上記金属板の一方面側の底面から他方面にわたる底板を透孔によって形成したことを要旨としている。
【００１１】
また、請求項５に記載の発明は、上記フィン群には、透明なカバーを被冠し、このカバーの内面と上記フィン群のフィン先端とを接着固定したことを要旨としている。
【発明の効果】
【００１２】
本発明にかかる表示プレートによれば、金属板に形成したフィン群の最深部となる底面に文字や図形等を形成しているので、従来から使用されている紙等のシールに印刷を施した偽造防止用シールと異なり、擦れによる表示部の損傷や剥がれ等の物理的な劣化が無く、また、紫外線等の外光に対して印刷用のインクが脱色または変色する等の化学的な劣化を未然に防止することができる。従って、経年変化が小さいことから、長年使用しても真偽を識別する機能を長期間持続させることが可能となり、例えば骨董的価値を生ずるような製品にも使用することが可能となる。
【００１３】
また、金属板に形成したフィン群の各フィン間の最深部である底面に文字や図形等の表示部を凹凸の段差によって形成しているので、この表示部を追加工によって形成することは実質的に不可能であり、表示プレートの偽造を防止することが可能となる。
【００１４】
因みに、金属板に形成するフィン群は、各フィンの板厚が０．０５ｍｍから１ｍｍ、各フィンの間に形成した空間の間隔が０．０５ｍｍから１ｍｍに設定するならば、フィン群が微細なことから、表示部を追加工によって形成することができず、仮に、追加工を施した場合にも、各フィンの板厚が極薄のために破損してしまうことから、偽造したことを容易に判別することができ、偽造防止に対して高い信頼性を得ることができる。
【００１５】
さらに、フィン間の底面に形成する表示部の凹凸の段差を２ミクロン乃至２０ミクロンに設定しているので、表示部を追加工によって形成することが著しく困難なことから、このことからも、偽造防止に対して高い信頼性を得ることができる。
【００１６】
また、本発明にかかる表示プレートのフィン群に透明なカバーを被冠し、このカバーの内面とフィンの先端とを接着固定するならば、例えば、表示プレートを他の製品に再利用することを目的にカバーを剥離しようとしても、フィンが肉薄のために変形するので、再利用もしくは偽造を容易に判別することが可能となり、やはり、偽造防止に対して高い信頼性を得ることができる。
【発明を実施するための最良の形態】
【００１７】
本発明にかかる表示プレートは、金属板の一方面に複数の肉薄な板状のフィンからなるフィン群が上記金属板に対して所定角度傾斜させて起立形成している。隣接する上記フィンの間には、所定間隔の空間と上記金属板の一方面側に形成した底面とが形成され、空間に面するフィンの面と底面は反射面に形成されている。さらに、上記フィン群の上記底面は、上記フィンの先端側開口から上記空間を介して直視できるように形成している。そして、上記フィン群の各フィン間の上記底面には、文字や図形等を表示する凹面又は凸面からなる表示部が形成されている。この表示部は、所定角度傾斜させた上記フィンの先端側開口から上記底面を直視したときのみ文字や図形等を表示が目視できるようにしている。
【実施例１】
【００１８】
次に、図面を参照して本発明の実施形態を詳細に説明する。図１および図２は、本発明による表示プレート１を示している。表示プレート１は、機械的な切削が可能な鉄系、アルミニウム系、銅系、ステンレス系等の金属板からなる素材が用いられる。また、これらの素材は、表面が光を反射するように形成されている。なお、反射面は鏡面でなくとも、少なくとの乱反射する程度であれば良い。表示プレート１の素材としては、軽量であって、切削加工性が良く、しかも、適度な塑性を有するアルミニウムが好ましい。
【００１９】
表示プレート１は、図１に示すように、金属板２の一方面２ａに複数の肉薄な板状のフィン３ａからなるフィン群３が金属板２に対して所定角度傾斜させて起立形成している。そして、各フィン３ａ間は、互いに離間させることにより空間４が形成されている。さらに、空間４の最深部となる金属板２の一方面２ａには、互いに隣接するフィン３ａによって挟まれた底面５が形成されている。因みに、フィン群３は、好ましくは、各フィン３ａの板厚を０．０５ｍｍから１ｍｍに設定し、各フィン３ａの間に形成した空間４の間隔を０．０５ｍｍから１ｍｍに設定している。
【００２０】
各フィン３ａは、金属板２の一方面２ａに対して、切削刃を備えた切削工具を所定の傾斜角度で切り起こすことにより形成することができ、フィン３ａ間に空間４を形成するように切削工具を所定のピッチ毎に移動させて順次切り起こすと、金属板２の一方面２ａに複数の肉薄な板状のフィン３ａからなるフィン群３が起立形成される。このような切削加工によって形成することにより、板状のフィン３ａは、金属板２側の基端の板厚が厚く、先端側に至るに従って肉薄に形成され、先端は金属板２と平行の方向にややカーリングしている。このように、フィン３ａの先端がややカーリングしているので、表示プレート１の上方から人が指などを押圧しても、人に切り傷等の傷害を与えることがない。また、金属板２の一方面２ａを切削工具により切り起こすので、底面５と一方面２ｂの間には底板１１が形成され、この底板１１の板厚は、フィン３ａを起立させる高さや板厚によって異なるが、おおよそ当初の金属板２の板厚よりも２分の１から５分の１の薄さになる。
【００２１】
また、各フィン３ａの間に形成される空間４は、図３に示すように、底面５に向けてほぼ直線状に形成されていて、フィン３ａの先端側開口からフィン３ａと平行に直視したとき、底面５が空間４を介して目視可能に形成されている。なお、空間４の間隔が小さい場合は、肉眼のみで直接底面５を目視できなくても良い。
【００２２】
そして、フィン群３が起立形成された金属板２の一方面２ａ側の底面５には、図１乃至図３に示すように、文字や図形等を表示するための凸面６ａからなる表示部６が形成されている。表示部６は、図示のように、底面５から凸面６ａがフィン群３の方向に、２ミクロン乃至２０ミクロンの段差ｈとなるように突出形成されている。この表示部６の段差ｈは、金属板２の他方面２ｂ側から文字や図形等を形成した金型によって一方面２ａ側に押圧することによって形成される。なお、２ミクロン以下の段差ｈでは、後述するように、傾斜させたフィン群３の先端側開口から底面５を直視しても表示部６の文字や図形等が見えにくくなって表示機能を失うことになり、段差ｈが２０ミクロン以上の場合には、フィン群３の先端にも文字や図形等が突出するため、真偽の識別機能を失う場合がある。
【００２３】
このように、底面５に文字や図形等を表示するための凸面６ａからなる表示部６を形成すると、図４に示すような文字７を目視することができる。すなわち、底面５に形成する表示部６には、例えばＪＡＰＡＮなる文字７が突出形成されている。また、底面５に文字７が突出形成する一方、金属板２の他方面２ｂ側には、図６に示すように、ＪＡＰＡＮなる文字７からなる凹面に形成された裏面文字７ｂが形成されている。
【００２４】
そして、図３に示すように、まず、フィン群３の先端側に形成されている開口からフィン３ａと平行に底面５に向けて光８を導入し、底面５に到達した光８を反射させる。すると、反射光９がフィン３ａの側面に反射しながら空間４を導光路として開口に到達し、やがて、反射光９が目１０によって目視される。このとき、底面５の表示部６にＪＡＰＡＮなる文字７が突出形成されていると、図３に示すように、他の底面５との段差ｈによって光の反射作用が異なることから、図４に示すように、フィン群３の先端側にＪＡＰＡＮなる文字７が、あたかもホログラムのような様態で表示される。
【００２５】
このように、表示部６は、所定角度傾斜させたフィン３ａの先端側開口から底面５を直視したときのみ文字や図形等の表示を目視できるが、例えば、図５に示すように、金属板２に対して垂直な方向から見ると、フィン群３の先端側のみが目視でき、表示部６は目視できない。
【００２６】
なお、上述した実施例は、フィン群３が起立形成された金属板２の一方面２ａ側の底面５に形成した表示部６を凸面６ａによって文字や図形等を表示するようにしたが、凹面によって表示部６を形成するようにしても良い。表示部６を凹面に形成した場合は、空間４の最深部となる金属板２の一方面２ａの底面５から他方面２ｂ方向に２ミクロン乃至２０ミクロンの段差ｈが形成される。
【００２７】
この表示プレート１を製品の真正品表示プレートとして使用すると、金属板２に形成したフィン群３の底面５に文字や図形等を形成しているので、擦れによる表示部の損傷や剥がれ等の物理的な劣化が無く、また、紫外線等の外光に対する化学的な劣化がない等、経年変化が小さいことから、長年使用しても真偽を識別する機能を長期間持続させることが可能となる。また、表示部６が金属板２に形成したフィン群３の各フィン３ａ間の最深部である底面５に形成しているので、この表示部６を追加工によって形成することが不可能であり、表示プレート１の偽造を防止することが可能となる。
【実施例２】
【００２８】
図７は、本発明による表示プレート１の他の実施例を示し、金属板２の底板１１に透孔１２を形成することによって表示部１３を形成した例を示している。前述したように、金属板２の一方面２ａには、複数の肉薄な板状のフィン３ａからなるフィン群３が金属板２に対して所定角度傾斜させて起立形成している。そして、金属板２の一方面２ａ側の底面５から他方面２ｂにわたる底板１１に、文字や図形等の形状に透孔１２を形成することにより表示部１３が形成されている。この透孔１２は、例えば、レーザー加工やフライス加工等によって形成することができる。また、透孔１２を形成しても、フィン３ａによって連結されているので、底板１１が離脱することはない。
【００２９】
そして、図示のように、フィン群３の先端側に形成されている開口からフィン３ａと平行に空間４を介して底面５を目視する。このとき、表示部１３が透孔１２によって形成されているので、金属板２の他方面２ｂ側から入射する光が透孔１２および空間４を導光路として開口に到達し、やがて、反射光９が目１０によって目視される。なお、用途によっては、金属板２の他方面２ｂ側を閉塞して光が入射されない場合がある。このときは、前述した例と同様に、フィン群３の先端側から光を導入して底面５に到達した光８を透孔１２以外に反射させる。この反射光を導光路として機能する空間４を介して開口に導いて目１０によって目視すれば、前述した例と同様に表示部１３を目視することができる。この場合、透孔１２の部分は、凹面として形成されるので表示部１３以外の底面５とは反射角度或いは反射率が異なるので、表示部１３の文字や図形等を認識することができる。
【実施例３】
【００３０】
図８は、本発明による表示プレート１の応用例を示し、フィン群３の先端側に透明なカバー１４を被冠し、このカバー１４の内面とフィン群３のフィン３ａ先端とを接着固定した例を示している。図８に示す表示プレート１は、前述したものと同様に、金属板２の一方面２ａには、複数の肉薄な板状のフィン３ａからなるフィン群３が金属板２に対して所定角度傾斜させて起立形成している。そして、表示プレート１は、略皿状に形成されたケース１５に収納されている。このとき、表示プレート１の裏面側となる金属板２の他方面２ｂとケース１５の底面とを接着固定することが望ましい。さらに、ケース１５の開口には、フィン群３の先端を当接させるように透明なカバー１４を被冠している。このとき、カバー１４とフィン群３の先端とは、固化したときに透明となるような接着剤により接着固定している。また、ケース１５の開口とカバー１４の周囲も接着剤によって接着固定される。
【００３１】
このように、フィン群３の先端側に被冠した透明なカバー１４の内面とフィン群３のフィン３ａ先端とを接着固定すると、例えば、表示プレートを他の製品に再利用することを目的にカバー１４を剥離しようとすると、フィン３ａが肉薄のために変形もしくは損傷する。このため、フィン３ａの変形もしくは損傷状態を確認することにより、再利用もしくは偽造したことが容易に判別できる。従って、偽造防止に対して高い信頼性を得ることができる。また、透明なカバー１４は、フィン群３のフィン３ａの間形成された空間４に埃等の異物が侵入することを未然に防止する防塵機能も備えている。
【００３２】
図９は、本発明による表示プレート１の変形例を示し、フィン群３の先端に文字や図形等を表示した例を示している。表示プレート１は、前述した例と同様に、金属板２の一方面２ａには、複数の肉薄な板状のフィン３ａからなるフィン群３が金属板２に対して所定角度傾斜させて起立形成している。このフィン群３を例えばレーザー加工によって、表示使用とする文字や図形を切削する。この結果、多数のフィン３ａによって構成されるフィン群３の平坦状の先端面に第２の表示部１６が形成される。この第２の表示部１６は、切削加工の他に、印刷等によって表示しても良い。
【００３３】
以上、本発明を実施例に基づいて具体的に説明したが、本発明は上記実施例に限定されるものではなく、その要旨を逸脱しない範囲内で種々変更可能であることは言うまでもない。例えば、文字や図形等を表示するために形成された表示部６の凸面又は凹面は、上面又は底面が必ずしも平坦でなくとも、やや円弧状に形成しても良い。また、表示プレートの用途として、真正品を表示して偽造を防止するためのプレートとして説明したが、真正品でなくとも一般の製品に添設しても良く、用途を限定するものではない。また、表示プレートの形状を矩形状とした実施例を例示したが、三角以上の多角形や円等の形状に変更しても良い。
【図面の簡単な説明】
【００３４】
【図１】本発明にかかる表示プレートの一例を示す側断面図である。
【図２】図１に示す表示プレートの正面から見た正面断面図である。
【図３】光の通路を示す拡大断面図である。
【図４】表示プレートの表示部を示した平面図である。
【図５】表示プレートを金属板の垂直方向から見た状態を示す平面図である。
【図６】表示プレートの金属板の他方面を示す裏面図である。
【図７】本発明にかかる表示プレートの他の実施例を示す要部拡大側断面図である。
【図８】本発明にかかる表示プレートにカバーを被冠した状態を示す断面図である。
【図９】本発明にかかる表示プレートの応用例を示す断面図である。
【符号の説明】
【００３５】
１      表示プレート
２      金属板
２ａ    一方面
２ｂ    他方面
３      フィン群
３ａ    フィン
４      空間
５      底面
６      表示部
６ａ    凸面
７      文字
８      光
９      反射光
１１    底板
１２    透孔
１４    カバー
【図１】
2010156933.tif 000003
【図２】
2010156933.tif 000004
【図３】
2010156933.tif 000005
【図４】
2010156933.tif 000006
【図５】
2010156933.tif 000007
【図６】
2010156933.tif 000008
【図７】
2010156933.tif 000009
【図８】
2010156933.tif 000010
【図９】
2010156933.tif 000011